(57)【要約】【課題】着脱可能なリントフィルタを確実に扉体に収容させること。【解決手段】衣類を収納する乾燥室と、前記乾燥室に衣類を出し入れする投入口と、前記投入口を閉鎖する扉体とを備え、前記扉体には、前記投入口と対向し、前記扉体の上部から着脱可能なリントフィルタが設けられ、前記リントフィルタは、リントを捕集するフィルタ部と、前記フィルタ部を保持する枠部とを有し、前記扉体は、前記リントフィルタを収容する収容部を有し、前記収容部の上端と前記枠部の上端とが略一致する状態で、前記投入口を閉鎖可能となるように構成される。【選択図】図６
2014030475.tif 000002
【特許請求の範囲】
【請求項１】
衣類を収納する乾燥室と、
前記乾燥室に衣類を出し入れする投入口と、
前記投入口を閉鎖する扉体とを備え、
前記扉体には、前記投入口と対向し、前記扉体の上部から着脱可能なリントフィルタが設けられ、
前記リントフィルタは、リントを捕集するフィルタ部と、前記フィルタ部を保持する枠部とを有し、
前記扉体は、前記リントフィルタを収容する収容部を有し、前記収容部の上端と前記枠部の上端とが略一致する状態で、前記投入口を閉鎖可能とした衣類乾燥機。
【請求項２】
前記リントフィルタは、前記リントフィルタを前記扉体に施錠するロック部をさらに有し、
前記扉体は、前記ロック部が開錠状態のとき前記収容部に収容可能とした請求項１に記載の衣類乾燥機。
【請求項３】
前記リントフィルタは、前記リントフィルタを前記扉体に施錠するロック部をさらに有し、
前記扉体は、前記ロック部によって前記扉体と前記リントフィルタが施錠されることによって、前記投入口を閉鎖可能とした請求項１に記載の衣類乾燥機。
【請求項４】
前記扉体に設けられたガイド部と、前記リントフィルタに設けられ、前記ガイド部に勘合する突出部を有し、
前記扉体は、前記突出部が前記ガイド部に正確に勘合された状態で、前記投入口を閉鎖可能とした請求項１に記載の衣類乾燥機。
【請求項５】
前記扉体は、前記リントフィルタを施錠するロック部を有し、
前記ロック部は、前記収容部の上端と、前記枠部の上端とが略一致状態となってからロック可能とした請求項１に記載の衣類乾燥機。
【発明の詳細な説明】
【技術分野】
【０００１】
本発明は、衣類を乾燥させる衣類乾燥機に関する。
【背景技術】
【０００２】
従来の衣類乾燥機は、衣類から発生するリントフィルタとよばれる糸くず捕集装置が設けられている（例えば、特許文献１、２参照）。
【０００３】
従来の衣類乾燥機において、衣類を収容する乾燥ドラムは、回転軸を水平に設けて回転する。前面側に投入口を設け、背面側は底部を有する有底筒状に構成されている。乾燥ドラムの前面側には、投入口を開閉する扉体が設けられている。使用者は、扉体を開け閉めすることで衣類を乾燥ドラムから出し入れすることができる。乾燥ドラムの背面側には送風ファンが設けられている。送風ファンの回転によって、乾燥用空気は、乾燥ドラムの背面側から前面側に向かって送風される。乾燥ドラム内の乾燥用空気は、扉体を通過し、乾燥ドラムの下方に設けられた循環通路を通過して再び送風ファンに到達する。このようにして、乾燥用空気は循環する。
【０００４】
循環する乾燥用空気には、衣類から発生したリントが含まれており、リントが送風ファンや加熱部に到達して不具合を起こさないために、扉体にはリントフィルタが設けられている。使用者が扉体を開放し、リントフィルタを扉体から着脱することにより、リントフィルタに捕集されたリント等の異物は廃棄される。
【先行技術文献】
【特許文献】
【０００５】
【特許文献１】特開２００５−１７７５０２号公報
【特許文献２】国際公開第２００５／１２１４３７号
【発明の概要】
【発明が解決しようとする課題】
【０００６】
しかしながら、このような従来の衣類乾燥機では、リントフィルタを扉体から着脱可能としたために、リントフィルタを扉体に確実に収容しない場合には隙間が生じて、乾燥用空気が循環する風路内から漏れてしまうことがある。このために、送風量が減少し乾燥性能が低下するという課題があった。さらに、漏れたリントは、循環通路の熱交換域に達して堆積し、熱交換効率が低下するために、乾燥性能が低下するという課題があった。
【０００７】
本発明は、上記従来の課題を解決するもので、着脱可能なリントフィルタを確実に扉体に収容させることを目的としている。
【課題を解決するための手段】
【０００８】
上記課題を解決するために、本発明の衣類乾燥機は、
衣類を収納する乾燥室と、
前記乾燥室に衣類を出し入れする投入口と、
前記投入口を閉鎖する扉体とを備え、
前記扉体には、前記投入口と対向し、前記扉体の上部から着脱可能なリントフィルタが設けられ、
前記リントフィルタは、リントを捕集するフィルタ部と、前記フィルタ部を保持する枠部とを有し、
前記扉体は、前記リントフィルタを収容する収容部を有し、前記収容部の上端と前記枠部
の上端とが略一致する状態で、前記投入口を閉鎖可能としたものである。
【０００９】
これによって、使用者が投入口を閉鎖しようとしても、リントフィルタが確実に扉体に収容されていない状態では、扉体を閉鎖状態にすることができない。このため、使用者に対し、リントフィルタと扉体に隙間があることを認識させることができ、確実に扉体にリントフィルタを収容させるように促すことができる。
【発明の効果】
【００１０】
本発明の衣類乾燥機は、リントフィルタを扉体から着脱容易に設けると共に、確実に扉体に収容させることができるため、乾燥性能低減を防止することができる。
【図面の簡単な説明】
【００１１】
【図１】本発明の実施の形態１における衣類乾燥機の正面図
【図２】同衣類乾燥機の側断面図
【図３】同衣類乾燥機の背面斜視図
【図４】同衣類乾燥機のヒートポンプ装置の概略図
【図５】同衣類乾燥機の扉体の正面斜視図
【図６】同衣類乾燥機の扉体の背面斜視図
【図７】（ａ）同衣類乾燥機の扉体の側面図（ｂ）同衣類乾燥機の扉体の背面図
【図８】同衣類乾燥機の扉体の側断面図
【図９】（ａ）同衣類乾燥機の扉体の一部を示す側断面図（ｂ）同衣類乾燥機の扉体の一部を示す側断面図（ｃ）同衣類乾燥機の要部拡大図
【図１０】（ａ）同衣類乾燥機の扉体の上部を示す斜視図（ｂ）同衣類乾燥機の扉体の上部を示す斜視図
【発明を実施するための形態】
【００１２】
本発明の衣類乾燥機は、
衣類を収納する乾燥室と、
前記乾燥室に衣類を出し入れする投入口と、
前記投入口を閉鎖する扉体とを備え、
前記扉体には、前記投入口と対向し、前記扉体の上部から着脱可能なリントフィルタが設けられ、
前記リントフィルタは、リントを捕集するフィルタ部と、前記フィルタ部を保持する枠部とを有し、
前記扉体は、前記リントフィルタを収容する収容部を有し、前記収容部の上端と前記枠部の上端とが略一致する状態で、前記投入口を閉鎖可能としたものである。
【００１３】
これによって、使用者が投入口を閉鎖しようとしても、リントフィルタが確実に扉体に収容されていない状態では、扉体を閉鎖状態にすることができない。このため、使用者に対し、リントフィルタと扉体に隙間があることを認識させることができ、確実に扉体にリントフィルタを収容させるように促すことができる。このため、扉体とリントフィルタとの間に隙間を生じさせることがなく、乾燥性能低下を防止することができる。
【００１４】
さらに、本発明は、前記リントフィルタは、前記リントフィルタを前記扉体に施錠するロック部をさらに有し、
前記扉体は、前記ロック部が開錠状態のとき前記収容部に収容可能としてもよい。
【００１５】
これにより、ロック部を設けて乾燥運転中にリントフィルタの浮き上がりを防止して乾燥用空気の漏れを低減することができる。さらに、扉体にロック部がロックされた状態のまま装着しようとしても扉体にリントフィルタを収容することができないので、扉体を閉
鎖することができない。このため、使用者に対し、リントフィルタと扉体に隙間があることを認識させることができ、扉体にリントフィルタを収容させるように促すことができる。このため、扉体とリントフィルタとの間に隙間を生じさせることがなく、乾燥性能低下を防止することができる。また、使用者に対してロック部の施錠を意識付けすることができ、リントフィルタを扉体に収容するように促すことができる。
【００１６】
さらに、本発明は、前記リントフィルタは、前記リントフィルタを前記扉体に施錠するロック部をさらに有し、
前記扉体は、前記ロック部によって前記扉体と前記リントフィルタが施錠されることによって、前記投入口を閉鎖可能としてもよい。
【００１７】
これにより、ロック部を設けて乾燥運転中にリントフィルタの浮き上がりを防止して乾燥用空気の漏れを低減することができる。また、ロック部を施錠しない状態では扉体を閉鎖できないので、使用者に対し、リントフィルタと扉体に隙間があることを認識させることができ、扉体にリントフィルタを収容させるように促すことができる。このため、扉体とリントフィルタとの間に隙間を生じさせることがなく、乾燥性能低下を防止することができる。また、使用者に対してロック部の施錠を意識付けすることができ、リントフィルタを確実に扉体に収容するように促すことができる。
【００１８】
さらに、本発明は前記扉体に設けられたガイド部と、前記リントフィルタに設けられ、前記ガイド部に勘合する突出部を有し、
前記扉体は、前記突出部が前記ガイド部に正確に勘合された状態で、前記投入口を閉鎖可能としてもよい。
【００１９】
これにより、ガイド部と、ガイド部に勘合する突出部とを設けて、リントフィルタを扉体に収容しやすくすることができる。よって位置ズレによる乾燥用空気の漏れを低減し乾燥性能低下を防止することができる。さらに、突出部をガイド部に正確に勘合された状態にしなければ、ロック部による施錠ができない。このため、使用者に対し、リントフィルタと扉体に隙間があることを認識させることができ、確実に扉体に収容させるように促すことができる。よって、扉体とリントフィルタとの間に隙間を生じさせることがなく、乾燥性能低下を防止することができる。
【００２０】
さらに、本発明は、前記扉体が、前記リントフィルタを施錠するロック部を有し、
前記ロック部は、前記収容部の上端と、前記枠部の上端とが略一致状態となってからロック可能としてもよい。
【００２１】
これにより、ロック部を設けて乾燥運転中にリントフィルタの浮き上がりを防止して乾燥用空気の漏れを低減することができる。また、使用者がロック部により施錠しようとしたとき、リントフィルタが浮き上がった状態では施錠できないため、確実にリントフィルタを扉体に収容させるように促すことができる。よって、扉体とリントフィルタとの間に隙間を生じさせることがなく、乾燥性能低下を防止することができる。
【００２２】
（実施の形態１）
本発明の実施の形態に係る衣類乾燥機につき、図１〜図８を参照しながら以下に説明し本発明の理解に供する。以下の説明は本発明の具体例であって、特許請求の範囲の内容を限定するものではない。
【００２３】
以下、衣類乾燥機の概略構成が図１〜図４を用いて説明される。
【００２４】
図１は、本発明の実施の形態１における衣類乾燥機の正面図、図２は、本発明の実施の
形態１における衣類乾燥機の側断面図、図３は、本発明の実施の形態１における衣類乾燥機の背面斜視図、図４は、本発明の実施の形態１における衣類乾燥機のヒートポンプ装置の概略図、図５は、本発明の実施の形態１における衣類乾燥機の扉体の正面斜視図、図６は、本発明の実施の形態１における衣類乾燥機の扉体の背面斜視図、図７（ａ）は、本発明の実施の形態１における衣類乾燥機の扉体の側面図、図７（ｂ）は本発明の実施の形態１における衣類乾燥機の扉体の背面図である。
【００２５】
衣類乾燥機１００は、筐体１１０を備える。衣類乾燥機１００は、筐体１１０内で、乾燥空気を循環し、衣類を乾燥する乾燥機能を有する。筐体１１０は、前壁１１１と、前壁１１１とは反対側の後壁１１２と、前壁１１１と後壁１１２との間で立設された左壁１１３と、左壁１１３とは反対側の右壁１１４と、を含む。筐体１１０は、前壁１１１、後壁１１２、左壁１１３及び右壁１１４の上縁で囲まれる領域を閉塞する天壁１１５を更に含む。
【００２６】
前壁１１１には、投入口１１６が形成される。使用者は、投入口１１６を通じて、筐体１１０内に衣類を収容することができる。
【００２７】
衣類乾燥機１００は、前壁１１１に取り付けられた扉体１２０を更に備える。扉体１２０は、本体連結ヒンジ１２５により、開位置と閉位置との間で回動することができる。図１に示される扉体１２０は、閉位置に存する。使用者は、扉体１２０に設けられている開閉用把手１２３を手前に引いて、扉体１２０を開位置に移動させ、投入口１１６を開放することができる。その後、使用者は、投入口１１６を通じて、筐体１１０内に衣類を収容することができる。使用者は、扉体１２０を閉位置に移動させ、投入口１１６を閉じることができる。このとき、扉ロックレバ１２４により扉体１２０は閉位置に閉固定される。制御部２００は、扉ロックレバ１２４が衣類乾燥機１００の本体側に閉止されたことを検知すると、衣類の乾燥が開始可能状態とする。その後、衣類は、回転ドラム３２０内で乾燥される。
【００２８】
衣類乾燥機１００は、操作パネル２０１を更に備える。操作パネル２０１は、前壁１１１の一部として用いられる。使用者は、操作パネル２０１を操作し、様々な運転コースを設定することができる。
【００２９】
衣類乾燥機１００は、操作パネル２０１から出力されたコース情報に応じて乾燥を実行する。使用者は、扉体１２０を開位置に移動させ、投入口１１６を通じて、回転ドラム３２０に衣類を投入することができる。
【００３０】
乾燥室としての回転ドラム３２０は有底円筒形状であり、回転ドラム３２０の回転軸心が水平となり、投入口１１６が正面側となるように配設されている。
【００３１】
衣類乾燥機１００の底面には、両軸駆動モータ３１０が設けられている。両軸駆動モータ３１０の前側回転駆動軸には、回転ドラム３２０を回転駆動するドラム駆動プーリ３１１が設けられている。回転ドラム３２０の外周には、ドラム駆動プーリ３１１に架設されたドラム駆動ベルト３１２が装着されている。両軸駆動モータ３１０の後側回転駆動軸には、送風ファン３３１を回転駆動するファン駆動プーリ３１３が設けられている。ファン駆動プーリ３１３に架設されたファン駆動ベルト３１４を介して、両軸駆動モータ３１０の駆動力が送風ファン３３１に伝えられる。
【００３２】
送風ファン３３１は、ヒートポンプ装置４２０の下流に配置される。送風機４１０は、上流送風経路４８０の乾燥用空気を吸引する一方で、ファンケース３３０の下流送風経路３３２に乾燥用空気を送り出す。両軸駆動モータ３１０の回転により、回転ドラム３２０
内に収容された衣類は、回転方向に持ち上げられ、持ち上げられた適当な高さ位置から落下する撹拌動作が繰り返される。さらに、送風ファン３３１の回転によって乾燥用空気が循環ダクト４３０から回転ドラム３２０内に送られる。上述の如く、回転ドラム３２０は、衣類を撹拌している。したがって、回転ドラム３２０へ流入した乾燥用空気は、衣類に効率よく衝突する。この結果、衣類は、適切に乾燥される。
【００３３】
乾燥用空気を循環させる循環ダクト４３０は、リントを捕集するリントフィルタ５００と、ヒートポンプ装置４２０と、送風ファンを格納するファンケース３３０とを含む。ファンケース３３０は、回転ドラム３２０と後壁１１２との間に設けられた裏板１１７に連結されている。また、リントフィルタ５００は、扉体１２０に設けられた第１リントフィルタ５１０と、衣類乾燥機１００の下方で、かつヒートポンプ装置４２０の上流に設けられた第２リントフィルタ４８２とを有する。循環ダクト４３０は、第１リントフィルタ５１０および第２リントフィルタ４８２の間に位置する上流送風経路４８０を含む。
【００３４】
衣類乾燥機１００は、循環ダクト４３０内で、回転ドラム３２０を通過した乾燥用空気と熱交換するヒートポンプ装置４２０を含む。ヒートポンプ装置４２０は、回転ドラム３２０から送風ファン３３１へ流れる乾燥用空気の流動経路上に配置される。ヒートポンプ装置４２０は、送風ファン３３１に向かって流れる空気と熱を交換し、高温かつ乾燥した空気を作り出す。
【００３５】
ヒートポンプ装置４２０は、空気を除湿する除湿部４２１と、空気を加熱する加熱部４２２と、を含む。第１リントフィルタ５１０を通過した乾燥用空気は、除湿部４２１を通過する。この結果、空気の湿度は低下する。その後、乾燥用空気は、加熱部４２２を通過する。この結果、空気は加熱される。かくして、ヒートポンプ装置４２０は、回転ドラム３２０を通過した乾燥用空気と熱交換し、衣類を乾燥させるための乾燥用空気を作り出すことができる。
【００３６】
図４を参照して、ヒートポンプ装置４２０の詳細が説明される。
【００３７】
ヒートポンプ装置４２０は、作動媒体を圧縮するコンプレッサ４２３と、作動媒体を減圧する膨張弁４２４と、膨張弁４２４からコンプレッサ４２３へ流れる作動媒体を案内する第１循環チューブ４２５と、コンプレッサ４２３から膨張弁４２４へ流れる作動媒体を案内する第２循環チューブ４２６と、を含む。第１循環チューブ４２５及び第２循環チューブ４２６は、コンプレッサ４２３と膨張弁４２４とを通過する閉ループを形成する。第１循環チューブ４２５を流れる作動媒体は、膨張弁４２４による減圧によって低温となる。第２循環チューブ４２６を流れる作動媒体は、コンプレッサ４２３による圧縮によって高温となる。第１循環チューブ４２５及び第２循環チューブ４２６は、送風機４１０によって吸引される空気を案内する循環ダクト４３０内に突出する。
【００３８】
第１循環チューブ４２５は、循環ダクト４３０内で、多数回折り返された流路を規定する。ヒートポンプ装置４２０は、循環ダクト４３０内で折り返された第１循環チューブ４２５に取り付けられた多数のフィン４２７を含む。循環ダクト４３０内の第１循環チューブ４２５及びフィン４２７は、上述の除湿部４２１として用いられる。
【００３９】
第２循環チューブ４２６は、循環ダクト４３０内で、多数回折り返された流路を規定する。ヒートポンプ装置４２０は、循環ダクト４３０内で折り返された第２循環チューブ４２６に取り付けられた多数のフィン４２８を含む。循環ダクト４３０内の第２循環チューブ４２６及びフィン４２８は、上述の加熱部４２２として用いられる。
【００４０】
循環ダクト４３０内を流れる乾燥用空気は、低温の作動媒体によって冷却された第１循
環チューブ４２５及びフィン４２７によって冷却される。この結果、乾燥用空気中の湿気は、第１循環チューブ４２５及びフィン４２７上で結露する。したがって、乾燥用空気は、除湿される。
【００４１】
その後、乾燥用空気は、高温の作動媒体によって加熱された第２循環チューブ４２６及びフィン４２８によって加熱される。したがって、乾燥用空気は、高温になり、衣類の乾燥に適した乾燥空気となる。上述の如く、除湿部４２１及び加熱部４２２は、循環ダクト４３０内を流れる空気と熱交換し、乾燥用空気を作り出す。したがって、除湿部４２１及び加熱部４２２は、熱交換器として例示される。
【００４２】
送風ファン３３１は、ヒートポンプ装置４２０によって作り出された乾燥用空気吸引する一方で、ファンケース３３０の下流送風経路３３２に乾燥用空気を送り出す。この結果、乾燥用空気は、裏板１１７の開口部４３２を通じて、回転ドラム３２０の底面と裏板１１７の間の空間に流入する。
【００４３】
その後、乾燥用空気は、回転ドラム３２０の底壁３２１に形成された多数の通気孔（図示せず）を通じて、回転ドラム３２０内に流入する。乾燥用空気が回転ドラム３２０を通過する間、衣類は、乾燥用空気に衝突し、乾燥される。したがって、回転ドラム３２０から排出される乾燥用空気は、高い湿度となる。また、衣類から発生したリントや衣類に付着した髪の毛といった塵埃が、回転ドラム３２０から排出される乾燥用空気中で浮遊することとなる。
【００４４】
その後、乾燥用空気は、扉体１２０の背面側に取り付けられた収容部１２１の扉体送風孔１２２に送られる。扉体送風孔１２２に送られた乾燥用空気は、第１リントフィルタ５１０を通過する。このとき、第１リントフィルタ５１０にて、乾燥用空気を浮遊するリントが捕集されて除去される。
【００４５】
第１リントフィルタを通過した乾燥用空気は、上流送風経路４８０を通過し、第２リントフィルタ４８２を通過する。第１リントフィルタ５１０を通過したリントが、第２リントフィルタ４８２にて捕集されて除去される。その後、乾燥用空気は、ヒートポンプ装置４２０に流入し、除湿および加温がなされる。除湿されて高温となった乾燥用空気は、吸引導出口４２９を経由して、再び送風ファン３３１に吸引されて下流送風経路３３２に送り出される。このようにして、乾燥用空気は循環ダクト４３０と回転ドラム３２０内とを循環する。
【００４６】
以下、図５〜図９を用いてリントフィルタ５００の構成が説明される。
【００４７】
図８は、本発明の実施の形態１における衣類乾燥機の扉体の側断面図、図９（ａ）は、本発明の実施の形態１における衣類乾燥機の扉体の一部を示す側断面図、図９（ｂ）は、本発明の実施の形態１における衣類乾燥機の扉体の一部を示す側断面図、図９（ｃ）は、本発明の実施の形態１における衣類乾燥機の要部拡大図、図１０（ａ）、（ｂ）は、本発明の実施の形態１における衣類乾燥機の扉体の上部を示す斜視図である。なお、図８は、図７の８−８線における断面図である。
【００４８】
塵埃を捕集するリントフィルタ５００は、第１リントフィルタ５１０と、第２リントフィルタ４８２とを含む。第１リントフィルタ５１０は、扉体１２０が開放された状態で、扉体の上方から挿入されて、着脱可能に構成されている。
【００４９】
上流送風経路４８０の下流側で、ヒートポンプ装置４２０と接続する吸引導入口４８１には、第２リントフィルタ４８２が設けられている。第２リントフィルタ４８２は、スポ
ンジ部材から構成されている。第１リントフィルタ５１０および第２リントフィルタ４８２は、共に、取り出して、堆積したリントを除去することにより、メンテナンスが可能である。循環する乾燥用空気に含まれるリントは、第１リントフィルタ５１０にてほぼ取り除くことが可能である。
【００５０】
図６、図７に示すように、第１リントフィルタ５１０は、リントを捕集、除去するメッシュフィルタ５１１（フィルタ部）と、メッシュフィルタ５１１を固定、保持する枠部５１２を有する。第１リントフィルタ５１０の背面側には、シーリング部としてのシールパッキン５１３が設けられている。シールパッキン５１３は、収容部１２１の圧接壁１２６と接して、気密性を保持している。シーリング部は、扉体１２０と第１リントフィルタ５１０との気密性が保たれるように構成されればよいので、扉体１２０側に設けることとしてもよい。
【００５１】
第１リントフィルタ５１０の上部には、収容部１２１に第１リントフィルタ５１０を固定、施錠するロック部５１４が設けられている。ロック部５１４は、扉体１２０に第１リントフィルタ５１０を施錠する施錠機構５１６と、施錠機構５１６を左右に移動させる操作部５１７とを有する。図７（ｂ）において、第１リントフィルタ５１０は、ロック部５１４が中央に位置する状態を閉とし、右にスライドさせて右に位置する状態を開となるように構成されている。また、図６に示すように、第１リントフィルタ５１０は、ロック部５１４を開状態とすることにより、施錠機構５１６が収容部１２１の上部に位置する凹部１２９と対応して、扉体１２０に収容可能となっている。
【００５２】
収容部１２１の下方には、上流送風経路４８０に連通する連通口１３０が設けられている。送風ファン３３１により循環する乾燥用空気は、第１リントフィルタ５１０を通過した後、連通口１３０から上流送風経路４８０を通過する。
【００５３】
着脱を繰り返す第１リントフィルタ５１０は、メンテナンスの手間に影響するため、着脱の簡素化、容易性が望まれる。さらに、乾燥用空気や乾燥用空気に含まれるリントが循環ダクト４３０から漏れないように、シール性の確保も望まれる。シール性が十分出ない場合、乾燥性能が低下する。さらに、リントが循環ダクト４３０から漏れた場合には、衣類乾燥機１００の外部を汚すことになる。
【００５４】
これらに対応して、本実施の形態の第１リントフィルタ５１０には、突出部５１５が設けられている。図９（ｃ）は、図９（ｂ）のＣ部を拡大したものである。第１リントフィルタ５１０は、突出部５１５が扉体１２０の内部に配した溝状のガイド部１２７に沿って移動することにより、正確な位置へと案内される。このように、ガイド部１２７が突出部５１５を案内するので、第１リントフィルタ５１０の取り付けを容易にすることができる。また、第１リントフィルタ５１０を正しく装着させることができるため、誤った位置に装着して空気が漏れ出ることを防止することができる。
【００５５】
さらに、ガイド部１２７は、屈曲部１２８を有している。屈曲部１２８は、ガイド部１２７の上部と下部とで所定の角度をもつように構成されている。これにより、第１リントフィルタ５１０を収容部に確実に収容し、外れにくくすることができる。また、屈曲部１２８は、シールパッキン５１３が圧接壁１２６に押し付けられる方向に曲がっている。屈曲部１２８が圧接壁１２６側に曲がっていることにより、シールパッキン５１３における密着性を高めることができる。よって、空気が漏れ出ることを防止して、乾燥性能を高めることができる。
【００５６】
また、シールパッキン５１３と接する圧接壁１２６は、鉛直方向から傾斜するように構成されている。このとき、第１リントフィルタ５１０が圧接壁１２６の上となるように傾
斜配置されている。より詳細には、扉体１２０を閉状態にしたときに、圧接壁１２６の上部が下部よりも投入口１１６側に突出しており、圧接壁１２６は、下部の方が上部よりも断面方向に厚くなるように構成されている。このように、収容部１２１の内面が、断面方向から見て略台形の勾配面を持つので、第１リントフィルタ５１０の重さが圧接方向に働く。よって、シールパッキン５１３にて簡単にエアタイトすることができる。
【００５７】
また、第１リントフィルタ５１０に配したシールパッキン５１３の取付け面は、収容部１２１に形状が一致した逆の勾配を配した略台形状である。より詳細には、扉体１２０を閉状態にしたときに、シールパッキン５１３の取り付け面は、上部が下部よりも投入口１１６側に突出している。このように構成されているため、第１リントフィルタ５１０の重さが圧接壁１２６に密着する方向に働くので、シール構造を確実なものにすることが可能になる。このようにして、簡単なシール構造で、扉体送風孔１２２から連通口１３０の間の通風路から外へリントが漏れ出すことを防止し、吸引空気の循環と除湿および加熱との機能を確保することができる。
【００５８】
また、第１リントフィルタ５１０は、上部に配したロック部５１４にて、第１リントフィルタ５１０を確実に扉体に装着固定することが可能である。このとき、ロック部５１４にて、第１リントフィルタ５１０を収容部１２１に正常に固定させるために、第１リントフィルタ５１０が収容部１２１に正常に収容されないと扉体１２０が閉鎖できないように構成されている。
【００５９】
図９（ｂ）に示すように、枠部５１２の上端と、収容部１２１の上端とが略一致する状態で、扉体１２０は閉鎖可能である。枠部５１２の上端と、収容部１２１の上端とが略一致状態にない場合、投入口１１６に接触して正常に扉体１２０を閉鎖することができない。また、図６の矢印Ａに示すように、ロック部５１４を閉状態にスライドさせた状態で第１リントフィルタ５１０を収容部１２１に収めようとしても、ロック部５１４の施錠機構５１６が収容部１２１の上端に干渉するため、第１リントフィルタ５１０は正常に収容されない（図１０（ａ））。矢印Ｂに示すように、ロック部５１４を開状態にして収容部１２１に挿入してから、ロック部５１４は閉状態とすることが可能である（図１０（ｂ））。これにより、第１リントフィルタ５１０が、収容部１２１の圧接壁１２６との間でシール性を保った状態で乾燥運転を行うこととなり、誤った位置に装着して空気が漏れ出ることを防止することができる。よって、扉体送風孔１２２から連通口１３０の間の通風路から外へリントが漏れ出すことを防止し、吸引空気の循環と除湿および加熱との機能を確保することができる。
【００６０】
さらに、使用者がロック部５１４をロックしないまま扉体１２０を閉めようとしても、扉体１２０を閉じることができないように構成されていてもよい。例えば、ロック部５１４の下部にバネなどの弾性体を設ける。ロック部５１４が開状態のときには、バネの押し上げる力により、ロック部５１４の上端が投入口１１６に干渉するようにロック部５１４が構成される。ロック部５１４を下方へ押し下げて、閉状態となるようにスライドさせると、ロック部５１４の上端が投入口１１６とは干渉しない高さに下げられる。このような構成により、第１リントフィルタ５１０を確実に収容部１２１に取り付けることができる。よって、運転中に第１リントフィルタ５１０が上方へ浮いてシール性が低減することを防止することができる。よって、扉体送風孔１２２から連通口１３０の間の通風路から外へリントが漏れ出すことをより確実に防止し、吸引空気の循環と除湿および加熱との機能を確保することができる。
【００６１】
また、第１リントフィルタ５１０は、枠部５１２の上端と収容部１２１の上端とが略一致した状態で、ロック部５１４がロック可能となるように構成されていてもよい。例えば、上述したバネなどの弾性体をロック部５１４に設ける。これにより、運転中に第１リン
トフィルタが上方へ浮いてシール性が低減することを防止することができる。よって、扉体送風孔１２２から連通口１３０の間の通風路から外へリントが漏れ出すことをより確実に防止し、吸引空気の循環と除湿および加熱との機能を確保することができる。
【００６２】
さらに、使用者が第１リントフィルタ５１０の上部に配したロック部５１４を閉状態にスライドさせようとしても、突出部５１５が完全にガイド部１２７の屈曲部１２８に到達しなければ、ロック部５１４を施錠することができないように構成されていてもよい。このため、誤使用状態の確認が容易になり、第１リントフィルタ５１０を誤った位置に装着して、空気が漏れ出ることを防止することができる。このため、乾燥性能を向上させることができる。また、ガイド部は、上部と下部とで所定の角度をもって屈曲するよう構成されているため、第１リントフィルタ５１０を収容部１２１に確実に収容し、外れにくくすることができる。また、シールパッキン５１３の密着性を高めることができる。よって、空気が漏れ出ることを防止して、乾燥性能を高めることができる。
【００６３】
以上のように、衣類乾燥機１００は、衣類を収納する乾燥室としての回転ドラム３２０と、回転ドラム３２０に衣類を出し入れする投入口１１６と、投入口１１６を閉鎖する扉体１２０とを備える。扉体１２０には、投入口１１６と対向し、扉体１２０の上部から着脱可能な第１リントフィルタ５１０が設けられ、第１リントフィルタ５１０は、リントを捕集するフィルタ部としてのメッシュフィルタ５１１と、メッシュフィルタ５１１を保持する枠部５１２とを含む。扉体１２０は、第１リントフィルタ５１０を収容する収容部１２１を含み、収容部１２１の上端と枠部５１２の上端とが略一致する状態で、投入口１１６を閉鎖可能としたものである
これによって、使用者が投入口１１６を閉鎖しようとしても、第１リントフィルタが確実に扉体に収容されていない状態では、扉体１２０を閉鎖状態にすることができない。このため、使用者に対し、第１リントフィルタ５１０と扉体１２０に隙間があることを認識させることができ、確実に扉体１２０に第１リントフィルタ５１０を収容させるように促すことができる。このため、扉体１２０と第１リントフィルタ５１０との間に隙間を生じさせることがなく、乾燥性能低下を防止することができる。
【００６４】
さらに、第１リントフィルタ５１０は、第１リントフィルタ５１０を扉体１２０に施錠するロック部５１４をさらに有し、扉体１２０は、ロック部５１４が開錠状態のとき収容部１２１に収容可能としてもよい。
【００６５】
これにより、ロック部５１４を設けて乾燥運転中に第１リントフィルタ５１０の浮き上がりを防止して乾燥用空気の漏れを低減することができる。さらに、扉体１２０にロック部５１４がロックされた状態のまま装着しようとしても扉体１２０に第１リントフィルタ５１０を収容することができないので、扉体１２０を閉鎖することができない。このため、使用者に対し、第１リントフィルタ５１０と扉体１２０に隙間があることを認識させることができ、扉体１２０に第１リントフィルタ５１０を収容させるように促すことができる。このため、扉体１２０と第１リントフィルタ５１０との間に隙間を生じさせることがなく、乾燥性能低下を防止することができる。また、使用者に対してロック部５１４の施錠を意識付けすることができ、第１リントフィルタ５１０を扉体１２０に収容するように促すことができる。
【００６６】
さらに、扉体１２０は、ロック部５１４によって扉体１２０と第１リントフィルタ５１０が施錠されることによって、投入口１１６を閉鎖可能としてもよい。
【００６７】
これにより、ロック部５１４を施錠しない状態では扉体１２０を閉鎖できないので、使用者に対し、第１リントフィルタ５１０と扉体１２０に隙間があることを認識させることができ、扉体１２０に第１リントフィルタ５１０を収容させるように促すことができる。
このため、扉体１２０と第１リントフィルタ５１０との間に隙間を生じさせることがなく、乾燥性能低下を防止することができる。また、使用者に対してロック部５１４の施錠を意識付けすることができ、第１リントフィルタ５１０を確実に扉体１２０に収容するように促すことができる。
【００６８】
さらに、扉体１２０に設けられたガイド部１２７と、第１リントフィルタ５１０に設けられ、ガイド部１２７に勘合する突出部５１５を有し、扉体１２０は、突出部５１５がガイド部１２７に正確に勘合された状態で、投入口１１６を閉鎖可能としてもよい。
【００６９】
これにより、ガイド部と、ガイド部１２７に勘合する突出部５１５とを設けて、第１リントフィルタ５１０を扉体１２０に収容しやすくすることができる。よって位置ズレによる乾燥用空気の漏れを低減し乾燥性能低下を防止することができる。さらに、突出部５１５をガイド部１２７に正確に勘合された状態にしなければ、ロック部５１４による施錠ができない。このため、使用者に対し、第１リントフィルタ５１０と扉体１２０に隙間があることを認識させることができ、確実に扉体１２０に収容させるように促すことができる。よって、扉体１２０と第１リントフィルタ５１０との間に隙間を生じさせることがなく、乾燥性能低下を防止することができる。
【００７０】
さらに、ロック部５１４は、収容部１２１の上端と、枠部５１２の上端とが略一致状態となってからロック可能としてもよい。
【００７１】
これにより、ロック部５１４を設けて乾燥運転中に第１リントフィルタ５１０の浮き上がりを防止して乾燥用空気の漏れを低減することができる。また、使用者がロック部５１４により施錠しようとしたとき、第１リントフィルタ５１０が浮き上がった状態では施錠できないため、確実に第１リントフィルタ５１０を扉体１２０に収容させるように促すことができる。よって、扉体１２０と第１リントフィルタ５１０との間に隙間を生じさせることがなく、乾燥性能低下を防止することができる。
【産業上の利用可能性】
【００７２】
以上のように、本発明にかかる衣類乾燥機は、扉体にリントフィルタを設けて、リントフィルタの着脱を容易にするとともに、気密性を簡単な機構により確保できるので、衣類乾燥機として有用である。
【符号の説明】
【００７３】
１００  衣類乾燥機
１１０  筐体
１１６  投入口
１２０  扉体
１２１  収容部
１２２  扉体送風孔
１２３  開閉用把手
１２６  圧接壁
１２７  ガイド部
１２８  屈曲部
１３０  連通口
２００  制御部
３１０  両軸駆動モータ
３１１  ドラム駆動プーリ
３１２  ドラム駆動ベルト
３１３  ファン駆動プーリ
３１４  ファン駆動ベルト
３２０  回転ドラム（乾燥室）
３３０  ファンケース
３３１  送風ファン
３３２  下流送風経路
４２０  ヒートポンプ装置
４２１  除湿部
４２２  加熱部
４２９  吸引導出口
４３０  循環ダクト
４５０  熱交換部
４８０  上流送風経路
４８１  吸引導入口
４８２  第２リントフィルタ
５００  リントフィルタ
５１０  第１リントフィルタ
５１１  メッシュフィルタ（フィルタ部）
５１２  枠部
５１３  シールパッキン（シーリング部）
５１４  ロック部
５１５  突出部
５１６  施錠機構
５１７  操作部
【図１】
2014030475.tif 000003
【図３】
2014030475.tif 000004
【図７】
2014030475.tif 000005
【図８】
2014030475.tif 000006
【図２】
2014030475.tif 000007
【図４】
2014030475.tif 000008
【図５】
2014030475.tif 000009
【図６】
2014030475.tif 000010
【図９】
2014030475.tif 000011
【図１０】
2014030475.tif 000012